(57)【要約】【課題】構成の簡素化を図りつつ、側壁部の自立状態を好適に維持させることのできる折畳み容器を提供する。【解決手段】ボックスパレット１は、起立位置と、寝かせ位置との間を姿勢変化可能に設けられた長辺側側壁部６を備え、長辺側側壁部６は、下辺部から突出する複数の長辺側挿入部１５を備え、長辺側挿入部１５の両側面の下端部には、側方に突出する挿入突部１７が設けられている。底壁構成部２は、上方に開口し、長辺側挿入部１５を挿入可能な複数の長辺側被挿入部２４を備え、長辺側被挿入部２４は、底壁構成部２の内外周方向において挿入突部１７を挟むようにして設けられ、上下に延びる内壁部２７、及び、外壁部２６を備える。長辺側挿入部１５の側面と、長辺側側壁部６の下辺部との境界部には倒れ防止突起３４が設けられ、長辺側側壁部６を起立位置とした場合に、挿入突部１７、及び、倒れ防止突起３４が、内壁部２７と、外壁部２６との間に位置する。【選択図】      図４
2018162085.tif 000002
【特許請求の範囲】
【請求項１】
平面視略矩形状の底壁構成部と、
前記底壁構成部の各側辺部に対応して、前記底壁構成部の側辺部の上方に立設される起立位置と、前記底壁構成部の中央部側に寝かされる寝かせ位置との間を姿勢変化可能に設けられた側壁部とを備え、
前記側壁部は、下辺部から下方に突出する複数の挿入部を備え、
前記底壁構成部は、上方に開口し、前記各挿入部を挿入可能な複数の被挿入部を備え、
前記側壁部のうち少なくとも一つの側壁部に関し、当該側壁部に設けられる前記挿入部は、当該挿入部の両側面の下端部、又は、その近傍部位から側方に突出する挿入突部を備え、
前記被挿入部は、前記底壁構成部の内外周方向において前記挿入突部を挟むようにして設けられた内壁部と、外壁部とを備え、
前記内壁部、及び、前記外壁部は上下に延び、前記挿入突部は、前記内壁部と、前記外壁部との間において上下に相対変位可能に構成され、
前記挿入突部が設けられた前記挿入部の側面と、前記側壁部の下辺部との境界部、又は、その近傍において倒れ防止突起が設けられ、
前記側壁部を前記寝かせ位置とした場合に、前記挿入突部が、前記内壁部と、前記外壁部との間に位置し、前記倒れ防止突起が、前記内壁部よりも前記底壁構成部の内周側に位置するとともに、
前記側壁部を前記起立位置とした場合に、前記挿入突部が、前記内壁部と、前記外壁部との間に位置するとともに、前記倒れ防止突起が、前記内壁部と、前記外壁部との間に挿入状態とされ、前記倒れ防止突起と、前記内壁部、及び、前記外壁部とが当接、又は、近接することを特徴とする折畳み容器。
【請求項２】
前記倒れ防止突起は、前記挿入部の側面と、前記側壁部の下辺部との境界部に設けられ、前記挿入部の側面と、前記側壁部の下辺部とに連結されていることを特徴とする請求項１に記載の折畳み容器。
【請求項３】
前記倒れ防止突起は、少なくとも前記側壁部に設けられた複数の前記挿入部のうち両サイドの前記挿入部に対応し、かつ、当該挿入部の前記側壁部の側辺部側の側面である外側側面に対応して設けられていることを特徴とする請求項１又は２に記載の折畳み容器。
【発明の詳細な説明】
【技術分野】
【０００１】
本発明は、物品の運搬等に使用される折畳み容器に関するものである。
【背景技術】
【０００２】
従来、物品の運搬等に使用される容器として、平面視略矩形状の底壁構成部と、底壁構成部の各側辺部に対応して、底壁構成部の側辺部の上方に立設される起立位置と、底壁構成部の中央部側に寝かされる寝かせ位置との間を姿勢変化可能に設けられた側壁部とを備える折畳み容器が知られている。また、折畳み容器を全ての側壁部が寝かせ位置とされた折畳み状態から、全ての側壁部が起立位置とされる組立状態とする場合に、他の側壁部よりも先に起立位置とされた側壁部が、その自立状態を維持することのできるような構成を具備するものもある。例えば、側壁部の下辺部から突出する複数の係合部を設け、複数の係合部のうち両サイドの係合部には、側壁部の側方側に突出し、底壁構成部の軸受部に軸支される軸部を設けるとともに、軸部が設けられていない係合部には、下面から突出し、起立位置において、底壁構成部の係止溝に挿入される倒れ防止部を設けるといった技術がある（例えば、特許文献１等参照。）。
【先行技術文献】
【特許文献】
【０００３】
【特許文献１】特開平９−２６７８３７号公報
【発明の概要】
【発明が解決しようとする課題】
【０００４】
ところで、倒れ防止部を底壁構成部の係止溝に挿入させるだけでは、側壁部の最下端部が僅かに位置決めされるだけであり、倒れ防止部を具備する係合部を複数設けたとしても、側壁部の自立状態を好適に維持することは困難である。
【０００５】
これに対し、特許文献１では、さらに、側壁部の下辺部のうち係合部が設けられていない部位から下方に突出する係合突部を設け、底壁構成部に対し、係合突部が挿入される係合孔を設けることとしている。
【０００６】
しかしながら、当該構成を採用する場合、側壁部を自立状態とさせる構成に関し、ただでさえ倒れ防止部用の係合部を設けることで複雑化を招いている上に、係合突部を設けることで更なる複雑化を招くことが懸念される。また、起立位置にある側壁部と、底壁構成部との合わせの部分に凸凹が増えることで、側壁部と、底壁構成部との間に隙間が形成され易くなり、内容物が隙間部分に引っ掛かるといった事態を招くことが懸念される。
【０００７】
本発明は、上記例示した問題点等を解決するためになされたものであって、その目的は、構成の簡素化を図りつつ、側壁部の自立状態を好適に維持させることのできる折畳み容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．平面視略矩形状の底壁構成部と、
前記底壁構成部の各側辺部に対応して、前記底壁構成部の側辺部の上方に立設される起立位置と、前記底壁構成部の中央部側に寝かされる寝かせ位置との間を姿勢変化可能に設けられた側壁部とを備え、
前記側壁部は、下辺部から下方に突出する複数の挿入部を備え、
前記底壁構成部は、上方に開口し、前記各挿入部を挿入可能な複数の被挿入部を備え、
前記側壁部のうち少なくとも一つの側壁部に関し、当該側壁部に設けられる前記挿入部は、当該挿入部の両側面の下端部、又は、その近傍部位から側方に突出する挿入突部を備え、
前記被挿入部は、前記底壁構成部の内外周方向において前記挿入突部を挟むようにして設けられた内壁部と、外壁部とを備え、
前記内壁部、及び、前記外壁部は上下に延び、前記挿入突部は、前記内壁部と、前記外壁部との間において上下に相対変位可能に構成され、
前記挿入突部が設けられた前記挿入部の側面と、前記側壁部の下辺部との境界部、又は、その近傍において倒れ防止突起が設けられ、
前記側壁部を前記寝かせ位置とした場合に、前記挿入突部が、前記内壁部と、前記外壁部との間に位置し、前記倒れ防止突起が、前記内壁部よりも前記底壁構成部の内周側に位置するとともに、
前記側壁部を前記起立位置とした場合に、前記挿入突部が、前記内壁部と、前記外壁部との間に位置するとともに、前記倒れ防止突起が、前記内壁部と、前記外壁部との間に挿入状態とされ、前記倒れ防止突起と、前記内壁部、及び、前記外壁部とが当接、又は、近接することを特徴とする折畳み容器。
【００１０】
手段１によれば、挿入突部を具備する挿入部に対応して倒れ防止突起が設けられ、側壁部が起立位置にある場合に、被挿入部の内壁部と、外壁部との間に、挿入部の挿入突部だけでなく、倒れ防止突起についても挿入状態とされるように構成されている。これにより、側壁部が起立位置にある場合に、挿入部が、その上部及び下部において、内壁部、及び、外壁部に支持されることとなる。このため、挿入部の回動変位、ひいては、側壁部の傾倒変位をより確実に防止することができる。また、倒れ防止突起は、挿入突部が設けられている挿入部に対応して、側壁部の組付けに支障なく設けることが可能な上、倒れ防止突起を設けるだけで、挿入部の上部における回動変位を確実に防止することができる。従って、挿入突部が設けられている挿入部とは別の箇所に、挿入部の上部位置における回動変位を防止する構成を別途設ける等といったことをしなくても済む。結果として、構成の簡素化を図りつつ、側壁部の自立状態を好適に維持させることができる。さらに、側壁部の自立状態が好適に維持されることにより、別の側壁部を起立位置と寝かせ位置とに変位させる際に、当該側壁部の変位が、自立している側壁部に阻害されるといった事態を回避することができ、折畳み容器の組立て、及び、折畳みに際しての作業性の向上を図ることができる上、組立状態にある折畳み容器の形状の安定化を図ることができる。
【００１１】
また、側壁部を自立させるための構成のために、起立位置にある側壁部と、底壁構成部との合わせの部分に凸凹が形成されるといった事態を抑制することができる。従って、前記凸凹が形成されることに起因して、側壁部と、底壁構成部との間に隙間が形成され易くなり、内容物が隙間部分に引っ掛かるといった事態を抑止することができる。さらに、側壁部を自立させるための構成のために、底壁構成部に孔部を設けるといった事態を抑制することができ、孔部を設けることで底壁構成部の強度が低下するといった事態を抑止することができる。加えて、側壁部を自立させるための構成の簡素化が図られることにより、側壁部や底壁構成部を形成するための金型の簡素化を図ることができ、製造コストの削減等を図ることができる。
【００１２】
また、側壁部が寝かせ位置にある場合においても、挿入突部が、内壁部と、外壁部との間に位置することで、側壁部の位置決めを行うことができる。
【００１３】
手段２．前記倒れ防止突起は、前記挿入部の側面と、前記側壁部の下辺部との境界部に設けられ、前記挿入部の側面と、前記側壁部の下辺部とに連結されていることを特徴とする手段１に記載の折畳み容器。
【００１４】
手段２によれば、倒れ防止突起の強度を高めることができ、倒れ防止突起の変形や損傷等を防止することができる。従って、倒れ防止突起の耐久性を高めるとともに、自立状態にある側壁部をより安定して支持することができる。また、倒れ防止突起が設けられる位置として、倒れ防止突起が挿入部の上端部に対応して設けられることから、挿入部の回動変位、ひいては、側壁部の傾倒変位を防止するといった作用効果がより効果的に奏される。さらに、倒れ防止突起が挿入部に連結されて設けられることから、例えば、倒れ防止突起が挿入部から離間して設けられる場合に比べ、倒れ防止突起を挿入させる被挿入部を極力コンパクトに構成することができる。従って、例えば、被挿入部の横幅が広くなり過ぎることで、被挿入部の周辺部の強度が低下するといった事態を抑制することができる。
【００１５】
手段３．前記倒れ防止突起は、少なくとも前記側壁部に設けられた複数の前記挿入部のうち両サイドの前記挿入部に対応し、かつ、当該挿入部の前記側壁部の側辺部側の側面である外側側面に対応して設けられていることを特徴とする手段１又は２に記載の折畳み容器。
【００１６】
手段３によれば、側壁部に設けられた複数の挿入部のうち両サイドの挿入部の外側側面に対応して倒れ防止突起が設けられることから、起立位置にある側壁部に対し上下方向を軸線方向として回動変位させられるような力が作用した場合に、倒れ防止突起が内壁部や外壁部と当接して、側壁部の回動変位を効果的に防止することができる。従って、側壁部の自立状態、及び、折畳み容器の組立状態をより一層安定させることができる。
【図面の簡単な説明】
【００１７】
【図１】組立状態にあるボックスパレットの斜視図である。
【図２】折畳み状態にあるボックスパレットの斜視図である。
【図３】一対の長辺側側壁部を底壁構成部から取外した状態を示す分解斜視図である。
【図４】一方の長辺側側壁部を底壁構成部から取外した状態を示す分解斜視図である。
【図５】長辺側挿入部の部分拡大斜視図である。
【図６】長辺側被挿入部の部分拡大斜視図である。
【図７】長辺側挿入部、及び、長辺側被挿入部の内面側を示す斜視図である。
【図８】長辺側挿入部が長辺側被挿入部に挿入された状態を示す一部断面を含む斜視図である。
【図９】長辺側挿入部、及び、長辺側被挿入部の外面側を示す斜視図である。
【図１０】折畳み状態にあるボックスパレットの部分拡大平面図である。
【発明を実施するための形態】
【００１８】
以下に、一実施形態について図面を参照して説明する。図１〜図４等に示すように、折畳み容器としてのボックスパレット１は、平面視略矩形状の底壁部３と、底壁部３の各長辺部に沿って底壁部３からそれぞれ上方に突出する長辺側土台部４と、底壁部３の各短辺部に沿って底壁部３からそれぞれ上方に突出する短辺側土台部５（図３参照）とを具備する底壁構成部２を備えている。また、ボックスパレット１は、各長辺側土台部４に対してそれぞれ着脱自在に設けられた長辺側側壁部６と、各短辺側土台部５に対してそれぞれ回動可能に設けられた短辺側側壁部７とを備えている。本実施形態の底壁部３は、パレット形状をなしており、複数の支柱部９と、支柱部９の上端部間を連結する上デッキ部１０と、支柱部９の下端部間を連結する下デッキ部１１とを備え、支柱部９と支柱部９との間には、ハンドリフトやフォークリフトのフォークを差込み可能なフォーク差込み部１２が形成されている。本実施形態では、底壁部３の外周面を構成する４つの側面からフォークを差込み可能な４方差しタイプのパレット形状となっている。また、本実施形態では、底壁構成部２、長辺側側壁部６、及び、短辺側側壁部７は、ポリプロピレンにより構成されている。さらに、本実施形態のボックスパレット１は、縦×横×奥行きの各寸法が１，１００ｍｍ以上の比較的大型の折畳み容器となっている。
【００１９】
図３等に示すように、各長辺側側壁部６は、正面視略矩形状の長辺側ベース部１４と、長辺側ベース部１４の下辺部から下方に突出する長辺側挿入部１５と、長辺側ベース部１４の内面の側辺部から突出する係止壁部１６とを備えている。本実施形態では、各長辺側側壁部６において、長辺側挿入部１５が互いに所定間隔を隔てて３つ設けられている。
【００２０】
尚、本実施形態では、長辺側側壁部６（詳しくは後述する短辺側側壁部７も同様）は、内面構成部と、外面構成部とを溶着させることにより構成されており、長辺側側壁部６が比較的大型に構成される場合であっても十分な強度が確保されるようになっている。また、内面構成部と、外面構成部との合わせ部分において、適宜、溝部（隙間）が設けられており、内面構成部と、外面構成部とを溶着させることで発生するバリ等が、各種組付けの阻害要因とならないように構成されている。
【００２１】
図５、図７、図９等に示すように、各長辺側挿入部１５は、当該長辺側挿入部１５の左右両側面の下端部から側方に突出する挿入突部１７を備えている。本実施形態の挿入突部１７は、全体として略四角柱状をなし、上下の幅と、長辺側側壁部６の厚み方向における幅とがほぼ同じ（断面略正方形状）となっている。
【００２２】
図３、図４等に示すように、各短辺側側壁部４は、正面視略矩形状の短辺側ベース部１８と、短辺側ベース部１８の下辺部から下方に突出する短辺側挿入部１９（図３参照）とを備えている。本実施形態では、各短辺側側壁部７において、短辺側挿入部１９が互いに所定間隔を隔てて３つ設けられている。また、各短辺側挿入部１９は、当該短辺側挿入部１９の左右両側面の下端部から側方に突出する略円柱状の軸部（図示略）を備えている。
【００２３】
図３、図９等に示すように、底壁構成部２の長辺側土台部４は、底壁部３の長辺部に沿って底壁部３の上面から上方に突出する長辺側土台縦壁部２１と、長辺側土台縦壁部２１の上辺部から外方に突出する長辺側受壁部２２と、長辺側受壁部２２の下面と、底壁部３の上面と、長辺側土台縦壁部２１の外面との間を連結する長辺側土台補強リブ２３とを備えている。また、長辺側土台部４には、長辺側側壁部６の長辺側挿入部１５が挿入される長辺側被挿入部２４が設けられている。長辺側被挿入部２４は、長辺側側壁部６に設けられた３つの長辺側挿入部１５に個別に対応して３箇所に設けられている。さらに、図６、図９等に示すように、各長辺側被挿入部２４は、長辺側受壁部２２から長辺側土台縦壁部２１にかけて切欠き部を形成し、長辺側土台縦壁部２１の切欠き部の周縁部から外方に延びる受容壁部２５を設けるとともに、受容壁部２５の先端部間を連結する外壁部２６を設け、さらに、長辺側土台縦壁部２１の切欠き部の両側縁部から長辺側土台縦壁部２１を延長させるようにして突設された内壁部２７を設けることで構成されている。
【００２４】
図１、図２に示すように、本実施形態の長辺側側壁部６は、長辺側土台部４の上方に立設される起立位置と、底壁構成部２の中央部側に寝かされる寝かせ位置との間を姿勢変化可能に設けられている。また、本実施形態では、長辺側側壁部６を、起立位置と、寝かせ位置とに姿勢変化させる場合には、図４等に示すように、長辺側側壁部６を底壁構成部２から一旦取り外し、長辺側側壁部６の姿勢を変更して、底壁構成部２に取付けるよう構成されている。
【００２５】
つまり、長辺側側壁部６が起立位置にある場合、図８に示すように、長辺側挿入部１５の挿入突部１７が、長辺側土台部４の長辺側被挿入部２４の内壁部２７と、外壁部２６との間に位置するとともに、長辺側ベース部１４の下辺部が、長辺側土台部４（長辺側受壁部２２）の上面に当接して支持される。また、挿入突部１７は、略四角柱状をなし、長辺側側壁部６の厚み方向における幅が、内壁部２７と、外壁部２６との間の距離よりも若干小さい程度となっていることから、挿入突部１７が長辺側被挿入部２４（内壁部２７と外壁部２６との間）に挿入された状態では、長辺側側壁部６を回動変位させることができない構成となっている。
【００２６】
さらに、挿入突部１７は、断面略正方形状となっており、長辺側挿入部１５の左右一対の内壁部２７の間の距離は、長辺側挿入部１５の横幅よりも若干長くなっている。このため、起立姿勢にある長辺側側壁部６を底壁構成部２の内側に９０度回動変位させた姿勢としても、挿入突部１７を長辺側被挿入部２４の内壁部２７と、外壁部２６との間に挿入可能となっている。つまり、長辺側側壁部６が寝かせ位置にある場合、図１０に示すように、長辺側挿入部１５の挿入突部１７が、長辺側土台部４の長辺側被挿入部２４の内壁部２７と、外壁部２６との間に位置するとともに、長辺側挿入部１５が、長辺側土台縦壁部２１の切欠き部（左右一対の内壁部２７の間の隙間）を介して、長辺側土台縦壁部２１よりも底壁構成部２の内周側に突出するようになっている。
【００２７】
また、長辺側土台部４の上面は基本的に平坦面となっているが、図９等に示すように、本実施形態では、外壁部２６の上辺部が一段低くなるように構成されている。当該段差を設けることにより、長辺側側壁部６を長辺側土台部４に取付ける場合に、長辺側挿入部１５の先端部が長辺側被挿入部２４に案内され易くなり、さらに、長辺側被挿入部２４の上部開口が若干拡がることとなるため、挿入突部１７を長辺側被挿入部２４に挿入し易くなる。
【００２８】
図３に示すように、短辺側土台部５には、短辺側側壁部７の短辺側挿入部１９が挿入される短辺側被挿入部２９が設けられている。短辺側被挿入部２９は、短辺側側壁部７に設けられた３つの短辺側挿入部１９に個別に対応して３箇所に設けられている。各短辺側被挿入部２９は、短辺側側壁部７の軸部を軸支する軸受部（図示略）を備えるとともに、短辺側土台部５の上方に立設される起立位置と、底壁構成部２の中央部側に寝かされる寝かせ位置との間を回動変位する短辺側挿入部１９の変位を許容する形状をなしている。
【００２９】
本実施形態では、短辺側土台部５の底壁部３からの突出長が、長辺側土台部４の底壁部３からの突出長よりも短く、短辺側被挿入部２９が、長辺側被挿入部２４よりも下方に位置する。このため、全ての側壁部６、７が起立位置とされた組立状態にあるボックスパレット１を、全ての側壁部６、７が寝かせ位置とされた折畳み状態とする場合には、先に、短辺側側壁部７を寝かせ位置としてから、当該短辺側側壁部７の上側に重ねるようにして、長辺側側壁部６を寝かせ位置とするように構成されている。
【００３０】
さらに、本実施形態では、一対の短辺側側壁部７がともに寝かせ位置とされた場合に一方が他方の上側に重ねられるように、短辺側挿入部１９の軸部が短辺側被挿入部２９に挿入された状態で上下に相対変位可能に構成されており、寝かせ位置にある短辺側側壁部７の高さ位置を適宜変更可能に構成されている。また、長辺側挿入部１５に関しても、長辺側挿入部１５の内壁部２７及び外壁部２６は上下に延びており、長辺側挿入部１５の挿入突部１７が、内壁部２７と、外壁部２６との間において（長辺側被挿入部２４に挿入された状態で）上下に相対変位可能に構成されている（図８参照）。これにより、寝かせ位置にある長辺側側壁部６の高さ位置を適宜変更可能に構成され、一対の長辺側側壁部６がともに寝かせ位置とされた場合に、図２に示すように、一方を他方の上側に重ねることができるようになっている。
【００３１】
また、ボックスパレット１の組立状態では、短辺側側壁部７の外面側が、長辺側側壁部６の係止壁部１６に当接して支持されるようになっている（図３、図４参照）。さらに、図４に示すように、短辺側側壁部７のうち、係止壁部１６の外面側の側部は、係止壁部１６に対応して凹凸が形成されており、ボックスパレット１の組立状態において、短辺側側壁部７の外面と、係止壁部１６の外面とが略面一となるように構成されている。加えて、短辺側側壁部７には、短辺側側壁部７の外面側からの接触が可能に構成され、短辺側ベース部１８の側辺部から出没可能に設けられたロック部材３０が装着されている。これに対し、図３に示すように、長辺側側壁部６の係止壁部１６には、長辺側側壁部６、及び、短辺側側壁部７が起立位置とされ、かつ、ロック部材３０が短辺側ベース部１８の側辺部から突出した状態とされた場合に、当該ロック部材３０と係合される係合凹部３１が設けられている。加えて、短辺側側壁部７の外面側には、短辺側側壁部７を回動変位させる際に指先を掛けることのできる指掛け部３２が設けられている。
【００３２】
尚、折畳み状態のボックスパレット１に物品を収容する場合には、例えば、先ず、寝かせ位置にある一対の長辺側側壁部６を底壁構成部２から取外すとともに、一方の長辺側側壁部６を起立姿勢として、長辺側土台部４に取付け、自立させる。続いて、一対の短辺側側壁部７を回動変位させて、起立位置とし、ロック部材３０により、自立状態にある前記一方の長辺側側壁部６と連結する。その後、ボックスパレット１に物品を収容してから、（図４のように）他方の長辺側側壁部６を長辺側土台部４に取付け、ロック部材３０により、当該他方の長辺側側壁部６と、短辺側側壁部７とを連結する。以上のようにして、ボックスパレット１に物品が収容される。
【００３３】
さて、ボックスパレット１を組立状態と、折畳み状態とに変化させる際には、一対の短辺側側壁部７が寝かせ位置にあり、少なくとも一方の長辺側側壁部６が起立位置にあるといった状況ができる。このときに、起立位置にある長辺側側壁部６を確実に支持する（長辺側側壁部６の自立状態を好適に維持させる）べく、本実施形態では、図３等に示すように、長辺側挿入部１５の側面と、長辺側ベース部１４の下辺部との境界部に対し、倒れ防止突起３４が設けられている。より具体的には、本実施形態では、倒れ防止突起３４は、各長辺側側壁部６に設けられた３つの長辺側挿入部１５のうち両サイドの長辺側挿入部１５に対応して、当該長辺側挿入部１５のうち長辺側側壁部６の側辺部側の側面である外側側面１５ａと、長辺側ベース部１４の下辺部との境界部に設けられている。また、図５等に示すように、倒れ防止突起３４は、長辺側挿入部１５の外側側面１５ａと、長辺側ベース部１４の下辺部とにそれぞれ連結されている。さらに、倒れ防止突起３４の長辺側挿入部１５の外側側面１５ａからの突出長は、挿入突部１７の外側側面１５ａからの突出長と同じであり、倒れ防止突起３４の上下幅は、挿入突部１７の上下幅よりも若干長くなっている。加えて、倒れ防止突起３４と、挿入突部１７との間の距離は、内壁部２７の厚みよりも長く、長辺側挿入部１５の長さ（本例では、倒れ防止突起３４の上端部と、挿入突部１７の下端部との間の距離）は、長辺側側壁部６の厚みの２倍の長さよりも長くなっている。尚、挿入突部１７を含む長辺側挿入部１５、及び、倒れ防止突起３４についても、内面構成部と、外面構成部とを溶着することで構成されている。
【００３４】
また、図８に示すように、長辺側側壁部６を起立位置とした場合には、挿入突部１７が、長辺側挿入部１５の内壁部２７と、外壁部２６との間に位置するとともに、倒れ防止突起３４が、内壁部２７と、外壁部２６との間に挿入状態とされるように構成されている。長辺側側壁部６の厚み方向における倒れ防止突起３４の幅は、内壁部２７と、外壁部２６との間の距離よりも若干短く、長辺側側壁部６が起立位置とされた状態では、倒れ防止突起３４と、内壁部２７、及び、外壁部２６とが当接、又は、近接するようになっている。
【００３５】
その一方で、図１０に示すように、長辺側側壁部６を寝かせ位置とした場合には、挿入突部１７が、長辺側挿入部１５の内壁部２７と、外壁部２６との間に位置し、倒れ防止突起３４が、内壁部２７よりも底壁構成部２の内周側に位置するように構成されている。
【００３６】
以上詳述したように、本実施形態によれば、挿入突部１７を具備する長辺側挿入部１５に対応して倒れ防止突起３４が設けられ、長辺側側壁部６が起立位置にある場合に、長辺側被挿入部２４の内壁部２７と、外壁部２６との間に、長辺側挿入部１５の挿入突部１７だけでなく、倒れ防止突起３４についても挿入状態とされるように構成されている。これにより、長辺側側壁部６が起立位置にある場合に、長辺側挿入部１５が、その上部及び下部において、内壁部２７、及び、外壁部２６に支持されることとなる。このため、長辺側挿入部１５の回動変位、ひいては、長辺側側壁部６の傾倒変位をより確実に防止することができる。また、倒れ防止突起３４は、挿入突部１７が設けられている長辺側挿入部１５に対応して、長辺側側壁部６の組付けに支障なく設けることが可能な上、倒れ防止突起３４を設けるだけで、長辺側挿入部１５の上部における回動変位を確実に防止することができる。従って、挿入突部１７が設けられている長辺側挿入部１５とは別の箇所に、長辺側挿入部１５の上部位置における回動変位を防止する構成を別途設ける等といったことをしなくても済む。結果として、構成の簡素化を図りつつ、長辺側側壁部６の自立状態を好適に維持させることができる。さらに、長辺側側壁部６の自立状態が好適に維持されることにより、短辺側側壁部７の回動変位が長辺側側壁部６に阻害されるといった事態を回避することができ、ボックスパレット１の組立て、及び、折畳みに際しての作業性の向上を図ることができる上、組立状態にあるボックスパレット１の形状の安定化を図ることができる。
【００３７】
また、長辺側側壁部６を自立させるための構成のために、起立位置にある長辺側側壁部６と、底壁構成部２との合わせの部分に凸凹が形成されるといった事態を抑制することができる。従って、前記凸凹が形成されることに起因して、長辺側側壁部６と、底壁構成部２との間に隙間が形成され易くなり、内容物が隙間部分に引っ掛かるといった事態を抑止することができる。さらに、長辺側側壁部６を自立させるための構成のために、底壁構成部２（長辺側土台部４）に孔部を設けるといった事態を抑制することができ、孔部を設けることで長辺側土台部４の強度が低下するといった事態を抑止することができる。加えて、長辺側側壁部６を自立させるための構成の簡素化が図られることにより、長辺側側壁部６や、長辺側土台部４を形成するための金型の簡素化を図ることができ、製造コストの削減等を図ることができる。また、長辺側側壁部６が寝かせ位置にある場合においても、挿入突部１７が、内壁部２７と、外壁部２６との間に位置することで、長辺側側壁部６の位置決めを行うことができる。
【００３８】
さらに、倒れ防止突起３４は、長辺側挿入部１５の外側側面１５ａと、長辺側ベース部１４の下辺部とに連結されている。このため、倒れ防止突起３４の強度を高めることができ、倒れ防止突起３４の変形や損傷等を防止することができる。従って、倒れ防止突起３４の耐久性を高めるとともに、自立状態にある長辺側側壁部６をより安定して支持することができる。特に、本実施形態の長辺側側壁部６は比較的大型のものであり、それに伴い、重量も比較的重くなっていることから、倒れ防止突起３４の変形等を防止して、長辺側側壁部６の自立状態の安定化を図るといった作用効果がより顕著に奏される。
【００３９】
また、倒れ防止突起３４が設けられる位置として、倒れ防止突起３４が長辺側挿入部１５の上端部に対応して設けられることから、長辺側挿入部１５の回動変位、ひいては、長辺側側壁部６の傾倒変位を防止するといった作用効果がより効果的に奏される。さらに、倒れ防止突起３４が長辺側挿入部１５に連結されて設けられることから、例えば、倒れ防止突起３４が長辺側挿入部１５から離間して設けられる場合に比べ、倒れ防止突起３４を挿入させる長辺側被挿入部２４を極力コンパクトに構成することができる。従って、例えば、長辺側被挿入部２４の横幅が広くなり過ぎることで、長辺側被挿入部２４の周辺部の強度が低下するといった事態を抑制することができる。
【００４０】
また、倒れ防止突起３４は、長辺側側壁部６に設けられた３つの長辺側挿入部１５のうち両サイドの長辺側挿入部１５に対応して、当該長辺側挿入部１５の外側側面１５ａと、長辺側ベース部１４の下辺部との境界部において設けられている。このため、起立位置にある長辺側側壁部６に対し上下方向を軸線方向として回動変位させられるような力が作用した場合に、倒れ防止突起３４が内壁部２７や外壁部２６と当接して、長辺側側壁部６の回動変位を効果的に防止することができる。従って、長辺側側壁部６の自立状態、及び、ボックスパレット１の組立状態をより一層安定させることができる。
【００４１】
尚、上記実施形態の記載内容に限定されず、例えば次のように実施してもよい。勿論、以下において例示しない他の応用例、変更例も当然可能である。
【００４２】
（ａ）上記実施形態では、各短辺側側壁部７が底壁構成部２に対して回動変位可能に連結されているが、例えば、長辺側側壁部６のように、起立位置と、寝かせ位置との間で姿勢を変化させる場合には、短辺側側壁部７を底壁構成部２から一旦取外し、姿勢を変えてから、底壁構成部２に取付けるように構成してもよい。
【００４３】
また、上記実施形態において、長辺側側壁部６を、挿入突部１７が長辺側被挿入部２４に挿入された状態のまま回動変位可能に構成してもよい。つまり、挿入突部１７を円柱状にする等して、挿入突部１７を内壁部２７と外壁部２６との間において回転可能とし、長辺側側壁部６を起立位置から寝かせ位置とする場合に、長辺側側壁部６を若干持ち上げて、倒れ防止突起３４を内壁部２７と外壁部２６との間から上方に抜き出し、その状態で長辺側側壁部６を内側に倒し、かつ、挿入突部１７を下方にスライドさせることで、長辺側側壁部６を寝かせ位置とすることができるように構成してもよい。さらに、当該構成を採用する場合に、挿入突部１７が長辺側被挿入部２４から抜け出さないように、長辺側被挿入部２４の内側、かつ、寝かせ位置とされた長辺側側壁部６の挿入突部１７よりも上方位置において、ストッパーを設けることとしてもよい。当該構成を採用する場合、長辺側被挿入部２４（内壁部２７と外壁部２６との間の空間）のうちストッパーよりも上方位置において、起立位置にある長辺側側壁部６の倒れ防止突起３４が挿入されることとする。
【００４４】
（ｂ）上記実施形態では、長辺側挿入部１５と、長辺側ベース部１４との境界部において、倒れ防止突起３４が、長辺側挿入部１５の側面、及び、長辺側ベース部１４の下辺部と連結されているが、長辺側側壁部６が起立位置とされた場合に、倒れ防止突起３４が、内壁部２７と、外壁部２６との間に挿入状態とされるように構成されていればよい。例えば、倒れ防止突起３４に関し、長辺側ベース部１４から若干下方に離間して長辺側挿入部１５の側面から突出するように構成してもよいし、長辺側挿入部１５から若干側方に離間して長辺側ベース部１４の下辺部から突出するように構成してもよい。
【００４５】
（ｃ）上記実施形態では、折畳み容器として、底壁構成部２の底壁部３がパレット状に構成されたボックスパレット１に具体化されているが、例えば、フォーク差込み部１２を有していない底壁構成部を備える折畳み容器に適用してもよい。また、底壁部３の形状として、下デッキ部１１を省略したようなパレット形状や、底壁部３の外周面を構成する２つの側面からフォークを差込み可能な２方差しタイプのパレット形状としてもよい。さらに、上記実施形態では、長辺側土台部４、及び、短辺側土台部５が、上デッキ部１０等と一体的に形成されているが、長辺側土台部４、及び、短辺側土台部５を底壁部３とは別体として構成し、底壁部３と連結可能に構成してもよい。加えて、ボックスパレット１の大きさや形状等についても特に限定されるものではなく、底壁構成部２と、長辺側側壁部６と、短辺側側壁部７とを備えて、折畳み可能に構成されていればよい。
【００４６】
（ｄ）上記実施形態では、長辺側側壁部６の長辺側挿入部１５が３つ設けられているが、各側壁部６、７に設けられる長辺側挿入部１５、及び、短辺側挿入部１９の数や配置等については特に限定されるものではなく、側壁部６、７の大きさ等に応じて適宜設計変更可能である。
【００４７】
また、上記実施形態では、長辺側側壁部６に設けられた３つの長辺側挿入部１５のうち、両サイドの長辺側挿入部１５に対応して、当該長辺側挿入部１５の外側側面１５ａと、長辺側ベース部１４の下辺部との境界部において倒れ防止突起３４が設けられているが、かかる構成に加えて、又は、代えて、両サイドの長辺側挿入部１５のうち長辺側側壁部６の横幅方向中央部側の側面に対応して倒れ防止突起３４を設けたり、両サイドの長辺側挿入部１５の間に設けられた長辺側挿入部１５に対応して倒れ防止突起３４を設けたりすることとしてもよい。
【００４８】
（ｅ）上記実施形態では、ボックスパレット１はポリプロピレンにより構成されているが、ポリエチレン、ＰＥＴ、ポリアミド等その他の樹脂材料により構成されることとしてもよい。
【符号の説明】
【００４９】
１…ボックスパレット、２…底壁構成部、３…底壁部、４…長辺側土台部、５…短辺側土台部、６…長辺側側壁部、７…短辺側側壁部、１４…長辺側ベース部、１５…長辺側挿入部、１５ａ…外側側面、１７…挿入突部、２４…長辺側被挿入部、２６…外壁部、２７…内壁部、３４…倒れ防止突起。
【図１】
2018162085.tif 000003
【図２】
2018162085.tif 000004
【図３】
2018162085.tif 000005
【図４】
2018162085.tif 000006
【図５】
2018162085.tif 000007
【図６】
2018162085.tif 000008
【図７】
2018162085.tif 000009
【図８】
2018162085.tif 000010
【図９】
2018162085.tif 000011
【図１０】
2018162085.tif 000012